(57)【要約】【課題】表示領域を確保しながら操作性を向上させた表示装置を提供する。【解決手段】表示装置は、固定具２００により自転車のハンドルバー、フレームまたはステムであるバー５００に取付けられる表示装置であって、第１の情報（たとえば走行速度）を表示する第１表示状態、および、第２の情報（たとえば走行距離）を表示する第２表示状態を実現可能な表示部を有する表示装置本体１００を備える。そして、表示装置本体１００を上方から下方に向けて押すことにより、第１と第２表示状態の切換えが行なわれる。【選択図】図１１
2007193185.tif 000002
【特許請求の範囲】
【請求項１】
バーに取付けられる表示装置であって、
第１の情報を表示する第１表示状態、および、第２の情報を表示する第２表示状態を実現可能な表示部を有する本体を備え、
前記本体を上方から下方に向けて押すことにより、前記第１と第２表示状態の切換えが行なわれる、表示装置。
【請求項２】
前記本体を前記バーに固定するための固定具をさらに備え、
前記本体は前記固定具上で回動可能に支持され、
前記本体における前記固定具に対向する面から突出するように前記第１と第２表示状態の切換えを行なう切換スイッチが設けられる、請求項１に記載の表示装置。
【請求項３】
前記表示装置の重心は、前記本体を支持する支点に対して前記切換スイッチの反対側に位置する、請求項２に記載の表示装置。
【請求項４】
前記表示部による表示を行なうための電力を蓄える蓄電機構をさらに備え、
前記蓄電機構の重心は、前記本体を支持する支点に対して前記切換えスイッチの反対側に位置する、請求項２に記載の表示装置。
【請求項５】
前記バーは、二輪車のハンドルバー、フレームまたはステムである、請求項１から請求項４のいずれかに記載の表示装置。
【発明の詳細な説明】
【技術分野】
【０００１】
本発明は、表示装置に関し、特に、複数の表示状態を切換え可能な表示装置に関する。
【背景技術】
【０００２】
バーに取付けられ、各種の情報を表示可能な表示装置が従来から知られている。
たとえば、特開２００５−３５００６４号公報においては、フレームに装着可能なブラケットと、表示部と、制御部とを有する自転車用表示装置が開示されている。ここで、制御部は、バックライトの色相、彩度および明度の色の三要素の少なくとも１つを受信した情報に応じて変更する。
【特許文献１】特開２００５−３５００６４号公報
【非特許文献１】ＰＬＡＮＥＴＢＩＫＥ社ホームページ、[online]、[平成１８年１月１３日検索]、インターネット＜URL:http://www.planetbike.com/computers.html＞
【発明の開示】
【発明が解決しようとする課題】
【０００３】
表示装置の表示部上に異なる複数の情報を表示する際、限られた表示部の面積を有効に活用するために、表示部上に一部の情報のみを表示し、表示の切換えを行なうことで他の情報を表示する場合がある。このような表示装置は、たとえば、非特許文献１に記載されている。
【０００４】
このような表示装置において、表示の切換えの操作性の向上を考慮すると、表示の切換えを行なうための切換えスイッチを表示装置の上面に設け、該スイッチを上方から下方に向けて押すことで表示の切換えが行なわれるようにすることが好ましい。一方で、切換えスイッチを表示装置の上面に設けた場合、表示部の表示領域が縮小されるという問題が生じる。
【０００５】
本発明は、上記のような問題に鑑みてなされたものであり、本発明の目的は、表示領域を確保しながら操作性を向上させた表示装置を提供することにある。
【課題を解決するための手段】
【０００６】
本発明に係る表示装置は、バーに取付けられる表示装置であって、第１の情報を表示する第１表示状態、および、第２の情報を表示する第２表示状態を実現可能な表示部を有する本体を備え、本体を上方から下方に向けて押すことにより、第１と第２表示状態の切換えが行なわれる。
【０００７】
上記構成によれば、表示部の領域の縮小を抑制しながら表示切換えの操作性を向上させることができる。
【０００８】
上記表示装置は、好ましくは、本体をバーに固定するための固定具をさらに備え、本体は固定具上で回動可能に支持され、本体における固定具に対向する面から突出するように第１と第２表示状態の切換えを行なう切換スイッチが設けられる。
【０００９】
上記構成によれば、固定具に向けて本体を押すことで切換えスイッチが押し込まれ、表示状態の切換えが行なわれる。これにより、表示部の領域の縮小を抑制しながら表示切換えの操作性を向上させることができる。
【００１０】
上記表示装置において、１つの局面では、表示装置の重心は、本体を支持する支点に対して切換スイッチの反対側に位置する。
【００１１】
上記表示装置は、他の局面では、表示部による表示を行なうための電力を蓄える蓄電機構をさらに備える。ここで、蓄電機構の重心は、本体を支持する支点に対して切換えスイッチの反対側に位置する。
【００１２】
これにより、いずれの局面においても、上下振動による切換えスイッチの誤作動を抑制することができる。
【００１３】
上記表示装置において、１つの例として、バーは、二輪車のハンドルバー、フレームまたはステムである。
【００１４】
二輪車の運転者がグローブを装着している場合、切換えスイッチが小さいと特に操作がしにくくなる。これに対し、上記表示装置によれば、本体の広い面を押して表示の切換えを行なうことができるので、操作性の点で特に高い効果を得ることができる。
【発明の効果】
【００１５】
本発明によれば、表示領域を確保しながら操作性を向上させた表示装置を得ることができる。
【発明を実施するための最良の形態】
【００１６】
以下に、本発明に基づく表示装置の実施の形態について説明する。なお、同一または相当する部分に同一の参照符号を付し、その説明を繰返さない場合がある。
【００１７】
図１は、本発明の１つの実施の形態に係る表示装置の本体の上面図である。また、図２〜図５は、それぞれ、図１に示される本体を矢印II，矢印III，矢印IＶ，矢印Ｖの方向から見た図である。
【００１８】
図１〜図５を参照して、本実施の形態に係る表示装置本体１００は、各種情報を表示する表示部１１０と、固定具と係合する係合部１２０と、表示装置本体の底面から突出するように設けられたゴムボタン１３０と、ゴムボタン１３０上に設けられたタクトスイッチ１４０と、バッテリ１５０とを含んで構成される。
【００１９】
表示装置本体１００は、たとえば、自転車のハンドルバーやフレームやステムなどに取付けられる。図１，図４，図５において、矢印ＤＲ１は自転車の前方に対応し、矢印ＤＲ２は自転車の後方に対応する。表示部１１０には、たとえば、走行速度、走行時間、走行距離、時刻、平均速度、最大速度などの情報が表示される。これらの情報は、表示部１１０上に一度に表示されない。すなわち、表示部１１０は、上記の複数の情報のうち一部の情報を表示する「第１表示状態」と、他の情報を表示する「第２表示状態」とを実現する。なお、表示状態の数は２つに限定されず、任意の複数個の表示状態を実現することが可能である。ゴムボタン１３０が本体内部に向けて押し込まれると、タクトスイッチ１４０が押され、表示状態の切換えが行なわれる。表示状態が順次切換えられることで、自転車の運転者は、各種情報を順次確認することができる。また、バッテリ５００は、表示装置本体１００の前後方向中心よりも矢印ＤＲ１側（前方側）に配設されている。
【００２０】
図６は、図１〜図５に示される表示装置の本体をバーに固定するための固定具を示した斜視図である。また、図７は、図６に示される固定具の側面断面図である。また、図８は、図６,図７に示される固定具にセンサを取付けた状態を示す図である。
【００２１】
図６〜図８を参照して、固定具２００は、固定具本体２１０と、ハンドルバーなどに巻き付けられるバンド２２０と、嵌入部材２３０とを含んで構成される。固定具本体２１０は、開口部２１１を有する。嵌入部材２３０は、開口部２１１に嵌入されることで固定具本体２１０と一体化される。なお、開口部２１１および嵌入部材２３０は略正方形形状を有しており、図８に示される状態から嵌入部材２３０を９０°回転させて該嵌入部材２３０を開口部２１１に取付けることも可能である。嵌入部材２３０にはケーブル４００の一端が接続される。ケーブル４００の他端は、センサ３００（たとえば速度センサ）に接続される。センサ３００から取り込まれた情報は、ケーブル４００を介して嵌入部材２３０に送られる。そして、該情報は、嵌入部材２３０の電極２３１を介して表示装置本体１００内に取り込まれ、表示部１１０上に表示される。
【００２２】
図９は、固定具２００に表示装置本体１００を取付ける状態を示す図である。また、図１０は、固定具２００に表示装置本体１００を取付けた後の状態を示す図である。
【００２３】
図９，図１０を参照して、表示装置本体１００を図９中の矢印の方向にスライドさせ、表示装置本体１００における係合部１２０と固定具２００における嵌入部材２３０とを係合させる。これにより、表示装置本体１００が固定具２００に取付けられる。なお、図９，図１０に示されるように、固定具２００は回転操作部２４０を有するウォームギヤ式の固定具である。すなわち、回転操作部２４０を回転させることで、バンド２２０を締めたり緩めたりすることができる。
【００２４】
図１１は、表示装置本体１００および固定具２００を含む表示装置をバー５００に取付けた状態を示す図である。図１１に示すように、固定具２００におけるバンド２２０をバー５００に巻き付けてバー５００を締め付けることで、表示装置がバーに取付けられる。なお、図１１に示す例では、表示装置は、自転車の前後方向に伸びるバー５００（たとえばステム）に取り付けられているが、上述したように嵌入部材２３０を９０°回転させて固定具本体２１０に取付けることで、自転車の左右方向に伸びるバー（たとえばハンドルバー）に表示装置を取付けることも可能である。
【００２５】
図１２は、上述した表示装置の重心位置について説明する図である。図１２を参照して、表示装置本体１００は、固定具２００上で回動可能に支持されている。すなわち、表示装置本体１００は、矢印ＤＲ３方向，矢印ＤＲ４方向に回動可能である。表示装置における表示の切換えを行なう際は、表示装置本体１００の矢印ＤＲ２側端部（後方側端部）が下方に押圧される。これにより、表示装置本体１００が矢印ＤＲ３方向に回動し、ゴムボタン１３０が固定具２００により表示装置本体１００の内方に押し込まれ、タクトスイッチ１４０が作動する。
【００２６】
図１２に示すように、本実施の形態に係る表示装置において、表示装置の重心Ｇ、表示装置本体１００を支持する支点Ｆおよびスイッチ作動位置Ａは、自転車の前後方向（矢印ＤＲ１方向，矢印ＤＲ２方向）に沿って、自転車の前方から重心Ｇ−支点Ｆ−作動位置Ａの順で並ぶ。このようにすることで、表示装置本体１００には、重力により矢印ＤＲ４方向のモーメントが作用し、矢印ＤＲ３方向のモーメントが打ち消される。したがって、自転車の走行時の上下方向の振動により表示装置本体１００が矢印ＤＲ３方向に回動して表示切換えスイッチの誤作動が生じることを抑制することができる。なお、表示装置の重心は、たとえばバッテリ１５０の配置により調整することができる。本実施の形態では、バッテリ１５０を表示装置本体１００を支持する支点Ｆよりも前方側に配設することで、表示装置の重心Ｇを前方側にシフトさせている。
【００２７】
ゴムボタン１３０を押し込む際の固さ（抵抗力の強さ）は、振動による誤作動を抑制し、かつ、強すぎて切換え操作がしにくくならない程度に適宜調整される。
【００２８】
本願発明者らは、上述した構成により表示切換えの誤作動を抑制できるかを確認するための振動試験を行なった。実験の手順について以下に説明する。まず、表示装置を所定の傾斜角度に傾けて振動台上に載置する。ここで、表示装置は矢印ＤＲ３方向、または、矢印ＤＲ４方向に傾けて載置される。次に、所定の周波数で上下方向の振動を加える。そして、加速度を順次増大させながら、ゴムボタン１３０が押し込まれる加速度を測定する。過度に小さい加速度でゴムボタン１３０が押し込まれる場合は、誤作動が生じやすいと評価される。上記の実験結果は表１に示される。
【００２９】
【表１】
2007193185.tif 000003
【００３０】
図１３は、比較例に係る表示装置の重心位置について説明する図である。図１３を参照して、本比較例に係る表示装置においては、表示装置の重心Ｇ、表示装置本体１０００を支持する支点Ｆおよびスイッチ作動位置Ａは、自転車の前後方向（矢印ＤＲ１方向，矢印ＤＲ２方向）に沿って、自転車の前方から作動位置Ａ−重心Ｇ−支点Ｆの順で並ぶ。このようにすることで、表示装置本体１０００には、重力により矢印ＤＲ４方向のモーメントが作用する。したがって、自転車の走行時の上下方向の振動により表示装置本体１０００が矢印ＤＲ４方向に回動してゴムボタン１３００が押され、タクトスイッチ１４００が作動しやすくなる。この結果、表示切換えスイッチの誤作動が生じる。
【００３１】
本願発明者らは、図１３に示される表示装置についても、上記と同様の振動試験を行なった。この実験結果は表２に示される。
【００３２】
【表２】
2007193185.tif 000004
【００３３】
表１，表２に示されるように、本実施の形態に係る表示装置に関しては、表示装置の取付け角度が０°であり、振動の周波数が６０Ｈｚである場合のみ、３２Ｇの加速度でゴムボタン１３０が押し込まれた。それ以外の条件では、振動試験機の上限値まで加速度を増大させても、ゴムボタン１３０は押し込まれなかった。一方、比較例に係る表示装置に関しては、多くの条件下でゴムボタン１３００が押し込まれて表示の切換えが生じた。表１，表２に示される結果から、本実施の形態に係る表示装置においては、比較例に係る表示装置と比較して、自転車の走行時の振動によって誤作動が生じることが十分に抑制されていると評価できる。
【００３４】
上述した内容について要約すると、以下のようになる。すなわち、本実施の形態に係る表示装置は、バー５００に取付けられる表示装置であって、第１の情報（たとえば走行速度）を表示する第１表示状態、および、第２の情報（たとえば走行距離）を表示する第２表示状態を実現可能な表示部１１０を有する表示装置本体１００を備える。そして、表示装置本体１００を上方から下方に向けて押すことにより、第１と第２表示状態の切換えが行なわれる。上記表示装置は、表示装置本体１００をバー５００に固定するための固定具２００をさらに備える。表示装置本体１００は固定具２００上で矢印ＤＲ３方向，矢印ＤＲ４方向に回動可能に支持される。そして、表示装置本体１００における固定具２００に対向する面（すなわち、表示装置本体１００の底面）から突出するように第１と第２表示状態の切換えを行なう「切換スイッチ」としてのゴムボタン１３０が設けられる。ゴムボタン１３０が表示装置本体１００の内方に押し込まれることでタクトスイッチ１４０が作動し、表示状態の切換えが行なわれる。
【００３５】
上記表示装置の重心Ｇは、表示装置本体１００を支持する支点Ｆに対してゴムボタン１３０の反対側に位置する。また、上記表示装置は、表示部１１０による表示を行なうための電力を蓄える「蓄電機構」としてのバッテリ１５０をさらに備える。ここで、バッテリ１５０の重心は、表示装置本体１００を支持する支点Ｆに対してゴムボタン１３０の反対側に位置する。
【００３６】
本実施の形態に係る表示装置によれば、表示部１１０の領域の縮小を抑制しながら表示切換えの操作性を向上させることができる。特に、自転車の運転者がグローブを装着している場合、切換えスイッチが小さいと操作がしにくくなる。これに対し、上記表示装置によれば、表示装置本体１００の広い面を押して表示の切換えを行なうことができるので、操作性の点で特に高い効果を得ることができる。
【００３７】
以上、本発明の実施の形態について説明したが、今回開示された実施の形態はすべての点で例示であって制限的なものではないと考えられるべきである。たとえば、上記の例では、バー５００が二輪車のハンドルバー、フレームまたはステムである例について説明したが、本実施の形態に係る表示装置は、任意の棒状部材に取付けることが可能である。本発明の範囲は特許請求の範囲によって示され、特許請求の範囲と均等の意味および範囲内でのすべての変更が含まれることが意図される。
【図面の簡単な説明】
【００３８】
【図１】本発明の１つの実施の形態に係る表示装置の本体の上面図である。
【図２】図１に示される本体を矢印IIの方向から見た図である。
【図３】図１に示される本体を矢印IIIの方向から見た図である。
【図４】図１に示される本体を矢印IＶの方向から見た図である。
【図５】図１に示される本体を矢印Ｖの方向から見た図である。
【図６】図１〜図５に示される表示装置の本体をバーに固定するための固定具を示した斜視図である。
【図７】図６に示される固定具の側面断面図である。
【図８】図６,図７に示される固定具にセンサを取付けた状態を示す図である。
【図９】図６,図７に示される固定具に表示装置の本体を取付ける状態を示す図である。
【図１０】図６,図７に示される固定具に表示装置の本体を取付けた後の状態を示す図である。
【図１１】本発明の１つの実施の形態に係る表示装置をバーに取付けた状態を示す図である。
【図１２】本発明の１つの実施の形態に係る表示装置の重心位置について説明する図である。
【図１３】比較例に係る表示装置の重心位置について説明する図である。
【符号の説明】
【００３９】
１００，１０００  表示装置本体、１１０  表示部、１２０  係合部、１３０，１３００  ゴムボタン、１４０，１４００  タクトスイッチ、１５０  バッテリ、２００，２０００  固定具、２１０  固定具本体、２１１  開口部、２２０  バンド部、２３０  嵌入部材、２３１  電極、２４０  回転操作部、３００  センサ、４００  ケーブル、５００  バー。
【図１】
2007193185.tif 000005
【図２】
2007193185.tif 000006
【図３】
2007193185.tif 000007
【図４】
2007193185.tif 000008
【図５】
2007193185.tif 000009
【図６】
2007193185.tif 000010
【図７】
2007193185.tif 000011
【図８】
2007193185.tif 000012
【図９】
2007193185.tif 000013
【図１０】
2007193185.tif 000014
【図１１】
2007193185.tif 000015
【図１２】
2007193185.tif 000016
【図１３】
2007193185.tif 000017